(57)【要約】    【課題】  設置台数の少ない用紙後処理装置を有効に活用する。    【解決手段】  用紙後処理装置であって、当該用紙後処理装置に接続された第１の画像形成装置から出力される用紙の後処理内容である第１の後処理内容及び当該用紙後処理装置に接続されていない第２の画像形成装置から出力される用紙の後処理内容である第２の後処理内容を記憶する記憶手段と、第１の画像形成装置から出力された用紙を給紙する第１の給紙手段３１２と、第２の画像形成装置から出力された用紙を給紙する第２の給紙手段３０３と、記憶手段に記憶された、第１の後処理内容及び第２の後処理内容に基づいて、第１及び第２の画像形成装置から出力された用紙に対する後処理の実行手順を変更する処理判断手段とを有する。【選択図】  図２
2005106887.tif 000002
【特許請求の範囲】
【請求項１】
用紙後処理装置であって、
当該用紙後処理装置に接続された第１の画像形成装置から出力される用紙の後処理内容である第１の後処理内容及び当該用紙後処理装置に接続されていない第２の画像形成装置から出力される用紙の後処理内容である第２の後処理内容を記憶する記憶手段と、
前記第１の画像形成装置から出力された用紙を給紙する第１の給紙手段と、
前記第２の画像形成装置から出力された用紙を給紙する第２の給紙手段と、
前記記憶手段に記憶された、第１の後処理内容及び第２の後処理内容に基づいて、前記第１及び第２の画像形成装置から出力された用紙に対する後処理の実行手順を変更する処理判断手段とを有することを特徴とする用紙後処理装置。
【請求項２】
前記処理判断手段は、前記第１及び第２の後処理内容に基づいて、前記第１の給紙手段及び第２の給紙手段により給紙される用紙の搬送経路を比較し、その結果に応じて前記第１及び第２の画像形成装置から出力された用紙に対する後処理の実行手順を変更することを特徴とする請求項１に記載の用紙後処理装置。
【請求項３】
前記処理判断手段は、前記第１の給紙手段により給紙される用紙と前記第２の給紙手段により給紙される用紙の搬送経路が交差しないと判断した場合、前記第１の給紙手段により給紙される用紙の後処理と、前記第２の給紙手段により給紙される用紙の後処理を同時に行うことを特徴とする請求項２に記載の用紙後処理装置。
【請求項４】
前記処理判断手段は、前記第１の給紙手段により給紙される用紙と前記第２の給紙手段により給紙される用紙の搬送経路が交差し、かつ、前記第１の給紙手段により給紙される用紙の給紙間隔が前記第２の給紙手段により給紙される用紙の搬送を可能とする間隔よりも長いと判断した場合、前記第１の給紙手段により給紙される用紙と前記第２の給紙手段により給紙される用紙の搬送を交互に行うことにより、前記第１の給紙手段により給紙される用紙の後処理と、前記第２の給紙手段により給紙される用紙の後処理を並行して行うことを特徴とする請求項２に記載の用紙後処理装置。
【請求項５】
前記処理判断手段は、前記第１の給紙手段により給紙される用紙と前記第２の給紙手段により給紙される用紙の搬送経路が同一であると判断した場合、前記第１の給紙手段による用紙の後処理よりも前記第２の給紙手段により給紙される用紙の後処理を優先して行うことを特徴とする請求項２に記載の用紙後処理装置。
【請求項６】
前記処理判断手段は、前記第１の給紙手段により給紙される用紙と前記第２の給紙手段により給紙される用紙の搬送経路が同一であると判断した場合、前記第１の給紙手段による用紙の後処理よりも前記第２の給紙手段により給紙される用紙の後処理を優先するか、或いは、前記第２の給紙手段により給紙される用紙の後処理を待機させるかのいずれかを使用者に選択させることを特徴とする請求項２に記載の用紙後処理装置。
【発明の詳細な説明】
【技術分野】
【０００１】
本発明は、用紙後処理装置に関する。
【背景技術】
【０００２】
用紙後処理装置は、画像形成装置に接続され当該画像形成装置から出力された用紙にステープルや穴開け等の後処理を行う。しかし、用紙後処理装置は、画像形成装置に比べてその設置台数が少ない場合が多いため、その効率的な活用が望まれている。
【０００３】
そこで、ネットワークを介して接続された複数の画像形成装置において、画像形成時に用紙に対してステープルや穴開け等の後処理内容を指示するアドオン情報を付加し、用紙後処理装置においてアドオン情報を読み込むことにより、異なる画像形成装置から出力された用紙をまとめて一つのジョブとして後処理することを可能にした画像処理システムが提案されている(例えば、特許文献１参照。)。
【０００４】
【特許文献１】特開２００３−１０７８１７号公報
【発明の開示】
【発明が解決しようとする課題】
【０００５】
しかし、上記の画像処理システムは、異なる画像形成装置により出力された用紙をまとめて一つのジョブとして後処理を行うものであって、異なる画像形成装置により出力された用紙に対して同時に異なる内容の後処理を行うものではないため、設置台数の少ない用紙後処理装置を有効に活用することができない。
【０００６】
本発明の目的は、係る問題点を解消し、設置台数の少ない用紙後処理装置を有効に活用することが可能な用紙後処理装置を提供することである。
【課題を解決するための手段】
【０００７】
上記目的を解決するための具体的手段として、請求項１に係る本発明は、用紙後処理装置であって、当該用紙後処理装置に接続された第１の画像形成装置から出力される用紙の後処理内容である第１の後処理内容及び当該用紙後処理装置に接続されていない第２の画像形成装置から出力される用紙の後処理内容である第２の後処理内容を記憶する記憶手段と、第１の画像形成装置から出力された用紙を給紙する第１の給紙手段と、第２の画像形成装置から出力された用紙を給紙する第２の給紙手段と、記憶手段に記憶された、第１の後処理内容及び第２の後処理内容に基づいて、第１及び第２の画像形成装置から出力された用紙に対する後処理の実行手順を変更する処理判断手段とを有することを特徴とする。
【０００８】
請求項２に係る本発明は、請求項１に記載の用紙後処理装置において、処理判断手段は、第１及び第２の後処理内容に基づいて、第１の給紙手段及び第２の給紙手段により給紙される用紙の搬送経路を比較し、その結果に応じて第１及び第２の画像形成装置から出力された用紙に対する後処理の実行手順を変更することを特徴とする。
【０００９】
請求項３に係る本発明は、請求項２に記載の用紙後処理装置において、処理判断手段は、第１の給紙手段により給紙される用紙と第２の給紙手段により給紙される用紙の搬送経路が交差しないと判断した場合、第１の給紙手段により給紙される用紙の後処理と、第２の給紙手段により給紙される用紙の後処理を同時に行うことを特徴とする。
【００１０】
請求項４に係る本発明は、請求項２に記載の用紙後処理装置において、処理判断手段は、第１の給紙手段により給紙される用紙と第２の給紙手段により給紙される用紙の搬送経路が交差し、かつ、第１の給紙手段により給紙される用紙の給紙間隔が第２の給紙手段により給紙される用紙の搬送を可能とする間隔よりも長いと判断した場合、第１の給紙手段により給紙される用紙と第２の給紙手段により給紙される用紙の搬送を交互に行うことにより、第１の給紙手段により給紙される用紙の後処理と、第２の給紙手段により給紙される用紙の後処理を並行して行うことを特徴とする。
【００１１】
請求項５に係る本発明は、請求項２に記載の用紙後処理装置において、処理判断手段は、第１の給紙手段により給紙される用紙と第２の給紙手段により給紙される用紙の搬送経路が同一であると判断した場合、第１の給紙手段による用紙の後処理よりも第２の給紙手段により給紙される用紙の後処理を優先して行うことを特徴とする。
【００１２】
請求項６に係る本発明は、請求項２に記載の用紙後処理装置において、第１の給紙手段により給紙される用紙と第２の給紙手段により給紙される用紙の搬送経路が同一であると判断した場合、第１の給紙手段による用紙の後処理よりも第２の給紙手段により給紙される用紙の後処理を優先するか、或いは、第２の給紙手段により給紙される用紙の後処理を待機させるかのいずれかを使用者に選択させることを特徴とする。
【発明の効果】
【００１３】
本発明に係る用紙後処理装置によれば、用紙後処理装置に接続された第１の画像形成装置から出力された用紙の後処理と、用紙後処理装置に接続されていない第２の画像形成装置から出力された用紙の後処理を、それぞれに設定されている後処理内容を考慮することにより、最適な手順で実行することができる。このため、設置台数の少ない用紙後処理装置を有効に活用することができる。
【発明を実施するための最良の形態】
【００１４】
以下、本発明の実施の形態について添付図面を参照して説明する。図１は、本発明に係る用紙後処理装置を含む用紙後処理システムの全体構成の一実施の形態を示す図であり、第１の画像形成装置である複合機１、複合機１に接続された用紙後処理装置であるフィニッシャ３、第２の画像形成装置である複合機２及び、クライアントコンピュータ４が通信手段であるネットワーク５を介して接続されている。
【００１５】
図２を参照してフィニッシャ３の構成について概略説明する。フィニッシャ３は、装置上方から後処理内容を入力及び表示する操作パネル３０１、複合機１より出力された用紙を仕分けせずに(いわゆるノンソートで)排出する排出トレイ３０２、複合機２等のフィニッシャ３に直接接続されていない画像形成装置において出力された用紙等を後処理するためにセットする第２の給紙手段であるマニュアルフィニッシングユニット３０３、マニュアルフィニッシングユニット３０３にセットされた用紙を１枚づつ繰り出すための給紙ローラ３０４、用紙を搬送し、搬送経路を形成する搬送ローラ３０５〜３１１、複合機１から排出される用紙をフィニッシャ３内に給紙する第１の給紙手段である給紙口３１２、搬送されてきた用紙の後処理内容に応じて搬送経路をａ、ｂの二方向に切り換える経路切換部材３１３及びａ、ｂ、ｃの三方向に切り換える経路切換部材３１４、用紙にステープル処理を行うステープラ３１５、ステープル処理を行う用紙を収容する処理トレイ３１６、ステープル処理された用紙を排出する排出トレイ３１７、用紙を週刊誌綴じ (いわゆる中綴じ製本)するための中綴じステープラ３１８及びステープル位置に沿って用紙を折り曲げるサドル３１９、週刊誌綴じを行う用紙を収容する処理トレイ３２０、処理トレイに用紙を整合して収容するためのベルト３２１、週刊誌綴じされた用紙を排出する排出トレイ３２２から構成される。尚、フィニッシャ３の処理動作については後で詳細に説明する。
【００１６】
図３は、複合機１、フィニッシャ３及びクライアントコンピュータ４のブロック図を示す。複合機１は、ネットワーク５を介して接続されたクライアントコンピュータ４等との通信を制御する通信部１１、フィニッシャ３との通信を制御する通信部１２、通信部１１及び通信部１２の双方向における通信を制御するＣＰＵ１３を有する。
【００１７】
フィニッシャ３は、複合機１との通信を制御する通信部３１、操作パネル３０１(図２参照)、複合機１や操作パネル３０１から送られてくる後処理内容を保存する記憶手段であるメモリ３２、後処理内容から使用する搬送経路及び使用する後処理機構であるフィニッシング機構等を判断する処理判断手段である処理判断部３３、実際に後処理を行うフィニッシング機構３００(図２参照)、フィニッシャ３の各構成要素を制御するＣＰＵ３４を有する。
【００１８】
クライアントコンピュータ４は、ネットワーク５を介して接続された複合機１及び２との通信を制御する通信部４１、複合機１，２及びフィニッシャ３等の外部接続された装置を制御するためにインストールされている制御プログラムであるプリンタドライバ４２、クライアントコンピュータ４の各構成要素を制御するＣＰＵ４３を有する。尚、複合機２は、複合機１の構成と同様であるため説明を省略する。
【００１９】
図４のフローチャート及び図５〜図９を参照して、複合機２から出力される用紙をフィニッシャ３において後処理するために、ユーザーが行う操作について説明する。
【００２０】
まず、クライアントコンピュータ４においてプリンタドライバ４２を起動させ、図５に示すような印刷設定画面４４を表示させる(ステップＳ１)。次に、使用するプリンタとして複合機２を、使用するフィニッシャとしてフィニッシャ３を選択する(ステップＳ２)。
【００２１】
さらに、後処理内容を選択するため、印刷設定画面４４においてプロパティ４５を選択し、図６に示す後処理設定画面４６を表示させる。後処理設定画面４６において、後処理内容を決定する(ステップＳ３)。後処理設定画面４６及び印刷設定画面４４において「ＯＫ」を選択すると、ＣＰＵ４３はジョブ番号を作成する。
【００２２】
ここで、図７はデータの流れを示す図であり、ステップＳ１〜ステップＳ３の操作によりクライアントコンピュータ４から画像データが複合機２へ、後処理内容及びジョブ番号からなる後処理データが複合機１へ送信される。図３も参照して、複合機１は、通信部１１において後処理データを受信すると、通信部１２からフィニッシャ３へと後処理データを送信する。フィニッシャ３は、通信部３１において後処理データを受信し、メモリ３２に保存する。
【００２３】
また、複合機１は、フィニッシャ３に後処理データを送信すると共に、クライアントコンピュータ４にジョブ番号を送信する。ジョブ番号の送信によりクライアントコンピュータ４には、図８に示すジョブ番号確認画面４７が表示され、ユーザーに通知される。尚、本実施の形態では、ジョブ番号は、任意の番号に変更することが可能であるが、必ずしも変更可能とする必要はない。
【００２４】
図４のフローチャートに戻って、ユーザーが複合機２から出力された用紙をマニュアルフィニッシングユニット３０３にセットする(ステップＳ４)。用紙のセットにより操作パネル３０１には、図９に示すようにメモリ３２に保存されているジョブ番号が表示され、ユーザーがセレクトキー３２３によりジョブ番号確認画面４７において通知されたジョブ番号を選択する(ステップＳ５)。
【００２５】
図１０のフローチャート及び図１１の処理判断部３３のブロック図を参照して、図４のフローチャートに示すユーザーの操作を受けてフィニッシャ３が行う処理の流れを説明する。
【００２６】
ユーザーがマニュアルフィニッシングユニット３０３に用紙をセットすると、用紙検出部３３１は、用紙がセットされたことを検出し、操作パネル３０１は、図９に示すようにジョブ番号を表示し、ジョブ番号の入力受付けを開始する(ステップＳ１１)。ユーザーがジョブ番号を選択すると、用紙検出部３３１はメモリ３２からジョブ番号に対応する後処理内容を読み出す(ステップＳ１２)。
【００２７】
次に、出力検出部３３２は、通信部３１を介して複合機１からの用紙の出力の有無を確認する(ステップＳ１３)。複合機１から用紙の出力がない場合(ステップＳ１３でＮＯ)、処理制御部３３３は、メモリ３２に保存されている後処理内容に応じて使用する搬送経路及びフィニッシング機構を決定し、後処理を行う(ステップＳ２１)。
【００２８】
複合機１から用紙の出力がある場合(ステップＳ１３でＹＥＳ)、処理制御部３３３は、複合機１から出力される用紙の後処理(ジョブ１)の内容とマニュアルフィニッシングユニット３０３にセットされた用紙の後処理(ジョブ２)の内容から搬送経路及びフィニッシング機構を決定し、処理比較部３３４は、それぞれの搬送経路及びフィニッシング機構を比較する(ステップＳ１４)。つまり、処理比較部３３４は、ジョブ１の搬送経路(経路１)とジョブ２の搬送経路(経路２)が同一の経路を使用するか、また、同一のフィニッシング機構を使用するかを確認する(ステップＳ１５)。同一の経路及びフィニッシング機構を使用する場合(ステップＳ１５でＹＥＳ)、処理制御部３３３はジョブ１を一時停止し、ジョブ２を優先的に処理する割り込み処理を行う(ステップＳ２０)。同一の経路及びフィニッシング機構を使用しない場合(ステップＳ１５でＮＯ)、処理比較部３３４は経路１と経路２が交差するかを確認する(ステップＳ１６)。経路１と経路２が交差しない場合(ステップＳ１６でＮＯ)、処理制御部３３３はジョブ１とジョブ２の処理をそれぞれ同時に行う同時処理を行う(ステップＳ１７)。経路１と経路２が交差する場合(ステップＳ１６でＹＥＳ)、出力検出部３３２は複合機１からの出力が両面印刷であるかを確認する(ステップＳ１８)。複合機１からの出力が両面印刷である場合(ステップＳ１８でＹＥＳ)、処理制御部３３３はジョブ１とジョブ２における用紙の搬送を交互に行う並行処理を行う(ステップＳ１９)。複合機１からの出力が両面印刷でない場合(ステップＳ１８でＮＯ)、処理制御部３３３は割り込み処理を行う(ステップＳ２０)。以下に同時処理、並行処理及び割り込み処理について詳しく説明する。
[同時処理]
同時処理は、複合機１から用紙の出力があり、処理比較部３３４によりジョブ１とジョブ２が同一の搬送経路及びフィニッシング機構を使用せず、また、経路１及び経路２が交差しないと判断された場合に行われる。
【００２９】
以下において具体的に説明する。図１２はジョブ１がノンソート、ジョブ２がステープル処理である場合のそれぞれの経路を示す。経路１において、搬送ローラ３０８により給紙口３１２から搬送されてきた用紙は、経路切換部材３１３のｂ位置においてその上側を通過し、搬送ローラ３０６及び３０５に搬送され、排出トレイ３０２に排出される。経路２において、マニュアルフィニッシングユニット３０３にセットされた用紙は、給紙ローラ３０４により１枚づつ繰り出され、搬送ローラ３０７により搬送され、経路切換部材３１４のｂ位置においてその左側を通過し、搬送ローラ３１０を経由して処理トレイ３１６に収容され、処理トレイ３１６がステープラ３１５の位置まで移動することによりステープルされ、排出トレイ３１７に排出される。
【００３０】
また、図１３はジョブ１が週刊誌綴じであり、ジョブ２がステープル処理である場合のそれぞれの経路を示す。経路１において、搬送ローラ３０８により給紙口３１２から搬送されてきた用紙は、経路切換部材３１３のａ位置においてその下側を通過し、搬送ローラ３０９により搬送され、経路切換部材３１４のｂ位置においてその右側を通過し、ベルト３２１の回転により整合されつつ処理トレイ３２０に収容され、処理トレイ３２０が中綴じステープラ３１８の位置まで移動することによりステープルされ、さらに、処理トレイ３２０がサドル３１９の位置まで移動することによりステープルの位置に沿って用紙が折り曲げられ、排出トレイ３２２に排出される。経路２は、上記図１２に示す経路２と同様である。
【００３１】
以上のように、それぞれの経路が全く接点を持たない場合、ジョブ１とジョブ２を同時に処理することが可能である。尚、ジョブ１及びジョブ２は以上の例に限らず、経路１及び経路２に全く接点を持たない場合は、同時処理が可能である。
[並行処理]
並行処理は、複合機１から用紙の出力があり、処理比較部３３４によりジョブ１とジョブ２が同一の搬送経路及びフィニッシング機構は使用しないが、経路１及び経路２が交差すると判断され、さらに、出力検出部３３２により複合機１における出力が両面印刷であると確認された場合に行われる。
【００３２】
まず、それぞれの経路を具体的に説明する前に、図１４を参照して、複合機１において両面印刷する場合の用紙の排出について説明する。給紙部１４から搬送されてきた用紙は印字形成部１５において感光体１６上の画像データに対応するトナー像が転写され、排出部１７に一旦導かれるが、搬送ローラ１８により両面ユニット部１９に戻され、再び印字形成部１５において先に転写された紙面とは逆の紙面に画像データに対応するトナー像が転写され、排出部１７において排出される。つまり、複合機１における用紙の排出は、片面印刷と比較すると２回に１回の割合である。
【００３３】
次に、それぞれの経路について具体的に説明する。図１５はジョブ１が複合機１から両面印刷で出力される用紙のステープル処理であり、ジョブ２が週刊誌綴じである場合のそれぞれの経路を示す。経路１において、搬送ローラ３０８により給紙口３１２から搬送されてきた用紙は、経路切換部材３１３のａ位置においてその下側を通過し、搬送ローラ３０９に搬送され、経路切換部材３１４のｃ位置においてその上側を通過し、搬送ローラ３１０を経由して処理トレイ３１６に収容され、ステープラ３１５によりステープルされ、排出トレイ３１７に排出される。経路２において、マニュアルフィニッシングユニット３０３にセットされた用紙は、給紙ローラ３０４により１枚づつ繰り出され、搬送ローラ３０７により搬送され、経路切換部材３１４のａ位置においてその右側を通過し、ベルト３２１の回転により整合されつつ処理トレイ３２０に収容され、中綴じステープラ３１８によりステープルされ、サドル３１９によりステープルの位置に沿って折り曲げられ、排出トレイ３２２に排出される。この場合、経路１と経路２は、経路切換部材３１４において用紙が交差する。しかし、複合機１から出力される用紙が両面印刷であり、フィニッシャ３に排出される用紙は片面印刷と比較すると１枚おきのペースであるため、すなわち、マニュアルフィニッシングユニット３０３から給紙される用紙の搬送を可能とする給紙間隔であるため、経路切換部材３１４をｃ位置からａ位置に切り換えることで用紙の搬送を交互に行うことが可能である。つまり、給紙口３１２から搬送されてきた用紙が経路切換部材３１４のｃ位置においてその上側を通過すると、経路切換部材３１４はａ位置に切り換えられ、マニュアルフィニッシングユニット３０３から搬送されてきた用紙は経路切換部材３１４のａ位置の右側を通過する。このように複合機１からの出力が両面印刷である場合、ジョブ１とジョブ２の用紙の搬送を交互に行うことが可能であるため、ジョブ１とジョブ２を並行して処理することができる。尚、ジョブ１及びジョブ２は以上の例に限らない。
[割り込み処理]
割り込み処理は、複合機１から用紙の出力があり、処理比較部３３４によりジョブ１とジョブ２が同一の搬送経路及びフィニッシング機構を使用すると判断された場合、例えばジョブ１、ジョブ２が共にステープル処理である場合やジョブ１、ジョブ２が共に週刊誌綴じである場合等に、複合機１からの用紙の排出を一時停止し、マニュアルフィニッシングユニット３０３にセットされた用紙の後処理、つまり、ジョブ２を優先的に行う割り込み処理が行われる。
【００３４】
以下、割り込み処理時に処理制御部３３３が行う処理を図１６のフローチャート及び図１１を参照して説明する。まず、処理制御部３３３は、通信部３１を介して割り込み処理信号を複合機１へ送信する(ステップＳ３１)。次に、複合機１における用紙の出力の停止を待ってジョブ１の処理を停止し、ジョブ２の処理を行う(ステップＳ３２)。ジョブ２の処理が終了すると(ステップＳ３３でＹＥＳ)、割り込み処理部３３３は、割り込み処理解除信号を通信部３１を介して複合機１へ送信し(ステップＳ３４)、割り込み処理を解除し、ジョブ１の処理を再開させる(ステップＳ３５)。尚、本実施の形態では、複合機１から用紙の出力があり、処理比較部３３４によりジョブ１とジョブ２が同一の搬送経路及びフィニッシング機構を使用すると判断された場合、複合機１からの用紙の排出を一時停止し、マニュアルフィニッシングユニット３０３にセットされた用紙の後処理、つまり、ジョブ２を優先的に行う割り込み処理を行ったが、同様の場合に、ユーザーに割り込み処理を行うか或いは、ジョブ１の処理が終わるまでジョブ２の処理を待機させるかのいずれかを選択させても良い。
【００３５】
以上において説明した同時処理、並行処理、割り込み処理は、各手順を実行するための専用のハードウェア回路によっても、また、各手順を記述した所定のプログラムをＣＰＵが実行することによっても実現することができる。
【００３６】
尚、本発明に係る画像形成装置は、複合機に限定されたものではなく、例えば、複写機、プリンタ等にも適用可能である。
【図面の簡単な説明】
【００３７】
【図１】本発明に係るフィニッシャ３を含む用紙後処理システムの全体構成の一実施の形態を示す図である。
【図２】フィニッシャ３の構成断面図である。
【図３】本発明に係る複合機１、フィニッシャ３及びクライアントコンピュータ４のブロック図である。
【図４】ユーザーが複合機２から出力される用紙をフィニッシャ３で後処理するために行う操作の流れを示すフローチャートを示した図である。
【図５】クライアントコンピュータ４に表示される印刷設定画面４４の一例を示す図である。
【図６】クライアントコンピュータ４に表示される後処理設定画面４６の一例を示す図である。
【図７】本発明に係る用紙後処理システムのデータの流れを示す図である。
【図８】クライアントコンピュータ４に表示されるジョブ番号確認画面４７の一例を示す図である。
【図９】ジョブ番号が表示された操作パネル３０１を示す図である。
【図１０】図４のフローチャートに示すユーザーの操作を受けて、フィニッシャ３が行う処理の流れを示すフローチャートを示した図である。
【図１１】処理判断部３３の構成を示すブロック図である。
【図１２】ジョブ１がノンソート、ジョブ２がステープル処理であり、同時処理を行う場合のそれぞれの搬送経路を示す図である。
【図１３】ジョブ１が週刊誌綴じ、ジョブ２がステープル処理であり、同時処理を行う場合のそれぞれの搬送経路を示す図である。
【図１４】複合機１における出力が両面印刷である場合の用紙の排出方法を示す図である。
【図１５】ジョブ１がステープル処理、ジョブ２が週刊誌綴じであり、並行処理を行う場合のそれぞれの搬送経路を示す図である。
【図１６】割り込み処理時に処理制御部３３３が行う処理の流れを示すフローチャートを示した図である。
【符号の説明】
【００３８】
１；複合機
２；複合機
３；フィニッシャ
４；クライアントコンピュータ
５；ネットワーク
３２；メモリ
３３；処理判断部
３００；フィニッシング機構
３０３；マニュアルフィニッシングユニット
３１２；給紙口
【図１】
2005106887.tif 000003
【図２】
2005106887.tif 000004
【図３】
2005106887.tif 000005
【図４】
2005106887.tif 000006
【図５】
2005106887.tif 000007
【図６】
2005106887.tif 000008
【図７】
2005106887.tif 000009
【図８】
2005106887.tif 000010
【図９】
2005106887.tif 000011
【図１０】
2005106887.tif 000012
【図１１】
2005106887.tif 000013
【図１２】
2005106887.tif 000014
【図１３】
2005106887.tif 000015
【図１４】
2005106887.tif 000016
【図１５】
2005106887.tif 000017
【図１６】
2005106887.tif 000018